(57)【特許請求の範囲】
【請求項１】
複数の放電セルがマトリクス状に配列され、一行に並んで配列された前記放電セル内に、維持放電を行わしめる走査電極と維持電極とからなる電極対が２つ配列されたパネルを有し、各行に配置された前記走査電極同士および前記維持電極同士が共にパネルの同じ側において接続され、各行の二本の走査電極および二本の維持電極のうち一本の走査電極および一本の維持電極は、共にパネルの同じ側から走査電極駆動回路および維持電極駆動回路にそれぞれ接続され、各行において、一方の前記電極対に流れる維持放電電流の方向と、他方の前記電極対に流れる維持放電電流の方向とは互いに逆方向になるように構成されたＡＣ型プラズマ表示装置。
【請求項２】
ある行に配置された前記電極対と、その隣の行に配置された前記電極対との間の静電容量を通じて走査電極および維持電極に流れる電流は、前記走査電極および前記維持電極のそれぞれにおいて互いに逆方向に流れる請求項１記載のＡＣ型プラズマ表示装置。
【請求項３】
ある行に配置された２つの前記電極対の間の静電容量を通じて走査電極および維持電極に流れる電流は、前記走査電極および前記維持電極のそれぞれにおいて互いに逆方向に流れる請求項１記載のＡＣ型プラズマ表示装置。
【請求項４】
ある行に配置された前記電極対と、その両隣の行にそれぞれ配置された前記電極対との間の静電容量を通じて流れるそれぞれの電流の方向が互いに逆方向である請求項１記載のＡＣ型プラズマ表示装置。
【発明の詳細な説明】
【０００１】
【発明の属する技術分野】
本発明はテレビジョン受像機およびコンピュータ端末等の画像表示に用いるＡＣ型プラズマ表示装置に関するものである。
【０００２】
【従来の技術】
従来のＡＣ型プラズマ表示装置を図１３に示す。このＡＣ型プラズマ表示装置は、ＡＣ型プラズマディスプレイパネル（以下、パネルという）およびその駆動装置からなり、パネル１は対を成す走査電極と維持電極との間に維持放電を行わしめるものである。このパネル１は図１３に示すように、Ｍ行の走査電極ＳＣＮ1〜ＳＣＮMおよびＭ行の維持電極ＳＵＳ1〜ＳＵＳMを有し、これら走査電極および維持電極に直交対向して設けられたＮ列のデータ電極Ｄ1〜ＤNを有している。各行には、対を成す走査電極および維持電極からなる電極対が２つ設けられ、走査電極、維持電極、走査電極、維持電極の順に設けられている。そして、各行の走査電極同士および維持電極同士は互いにパネルの相対する側においてそれぞれ電気的に接続されており、その電気的に接続された部分は、それぞれ走査電極駆動回路２および維持電極駆動回路３に接続されている。例えば、走査電極ＳＣＮ1を構成する２つの走査電極は、パネルの左側で電気的に接続されて走査電極駆動回路２に接続され、維持電極ＳＵＳ1を構成する２つの維持電極は、パネルの右側で電気的に接続されて維持電極駆動回路３に接続されている。
【０００３】
Ｍ行の走査電極ＳＣＮ1〜ＳＣＮMおよびＭ行の維持電極ＳＵＳ1〜ＳＵＳMと、Ｎ列のデータ電極Ｄ1〜ＤNとの交差部には放電セルＣ11〜ＣMNが構成されている。すなわち、このパネル１は、一つの放電セル中に二対の走査電極および維持電極を有し、放電セルに関して、Ｍ行×Ｎ列のマトリクス構成を成したものである。
【０００４】
この従来のパネルの駆動方法を動作駆動タイミング図である図１４を用いて説明する。
【０００５】
まず、書き込み期間に、全ての維持電極ＳＵＳ1〜ＳＵＳMを維持電極駆動回路３により０（Ｖ）に保持しておく。１行目の走査において、データ電極Ｄ1〜ＤNのうちの表示を行う放電セルに対応する所定のデータ電極Ｄj（ｊは１〜Ｎの整数）にデータ電極駆動回路４から正の書き込みパルス電圧＋ＶW（Ｖ）を、１行目の走査電極ＳＣＮ1に走査電極駆動回路２から負の走査パルス電圧−ＶS（Ｖ）をそれぞれ印加すると、所定のデータ電極Ｄjと走査電極ＳＣＮ1との交差部の放電セルＣ1jにおいて書き込み放電が起こる。
【０００６】
次に、２行目の走査において、データ電極Ｄ1〜ＤNのうちの表示を行う放電セルに対応する所定のデータ電極Ｄjにデータ電極駆動回路４から正の書き込みパルス電圧＋ＶW（Ｖ）を、２行目の走査電極ＳＣＮ2に走査電極駆動回路２から負の走査パルス電圧−ＶS（Ｖ）をそれぞれ印加すると、所定のデータ電極Ｄjと走査電極ＳＣＮ2との交差部の放電セルＣ2jにおいて書き込み放電が起こる。
【０００７】
同様な走査がＭ行目まで引き続いて行われ、所定の放電セルにおいて書き込み放電が起こる。
【０００８】
続く維持期間において、まず、全ての維持電極ＳＵＳ1〜ＳＵＳMに維持電極駆動回路３から負の維持パルス電圧−Ｖｍ（Ｖ）を印加すると、書き込み放電を起こした放電セルＣij（ｉは１〜Ｍの整数）において、走査電極ＳＣＮiと維持電極ＳＵＳiとの間に最初の維持放電が開始し、走査電極駆動回路２から走査電極ＳＣＮi、維持電極ＳＵＳiを経て維持電極駆動回路３に向かう維持放電電流が流れる。続いて順次、全ての走査電極ＳＣＮ1〜ＳＣＮMと全ての維持電極ＳＵＳ1〜ＳＵＳMとに走査電極駆動回路２と維持電極駆動回路３から負の維持パルス電圧−Ｖｍ（Ｖ）を交互に印加することにより、書き込み放電を起こした放電セルＣijにおいて、走査電極ＳＣＮiと維持電極ＳＵＳiとの間に維持放電が継続して行われる。これにより、維持電極駆動回路３から維持電極ＳＵＳi、走査電極ＳＣＮiを経て走査電極駆動回路２に向かう維持放電電流と、走査電極駆動回路２から走査電極ＳＣＮi、維持電極ＳＵＳiを経て維持電極駆動回路３に向かう維持放電電流とが交互に流れる。この継続する維持放電による発光を表示に用いる。
【０００９】
続く消去期間において、全ての維持電極ＳＵＳ1〜ＳＵＳMに維持電極駆動回路３から負の細幅消去パルス電圧−Ｖｅ（Ｖ）を印加して、消去放電を起こして維持放電を停止させる。
【００１０】
以上の動作によりパネルの一画面が表示される。
【００１１】
このパネルは、一つの放電セル中に二対の走査電極と維持電極との間の二箇所で維持放電を起こさせることにより、放電セル中の広い範囲からの発光が得られるので、高輝度が得られるというものである。
【００１２】
【発明が解決しようとする課題】
しかし、このような従来のＡＣ型プラズマ表示装置においては、維持放電時に維持放電電流による強い電磁波ノイズが発生するという問題があった。以下に、この電磁波ノイズの発生原因について説明する。
【００１３】
図１３の一部として（ｉ−１）行目から（ｉ＋１）行目までの電極配列と走査電極駆動回路２および維持電極駆動回路３との接続図を図１５に示す。また、図１４に示した時刻ｔ、すなわち維持期間の最初において、全ての維持電極ＳＵＳ1〜ＳＵＳMに維持電極駆動回路３から負の維持パルス電圧−Ｖｍ（Ｖ）を印加したときに流れる維持放電電流を図１５に実線矢印で示す。この図から分かるように、各行において、対を成す走査電極から維持電極に流れる２つの維持放電電流、例えばｉ行目において、一方の走査電極ＳＣＮi,aから一方の維持電極ＳＵＳi,aに流れる維持放電電流と、他方の走査電極ＳＣＮi,bから他方の維持電極ＳＵＳi,bに流れる維持放電電流とは、同じ方向に流れている。したがって、全ての各行において、走査電極から維持電極に流れる２つの維持放電電流は同じ方向に流れ、これらの維持放電電流により同位相の電磁波ノイズが発生するので、これらが全て加算され非常に強い電磁波ノイズがパネルから発生する。また、図１５中に点線矢印で示すように、各行において、一方の対を成す走査電極および維持電極と、他方の対を成す走査電極および維持電極との間の静電容量を通じて流れる電流の方向、例えば、走査電極ＳＣＮi,bから維持電極ＳＵＳi,aに流れる電流の方向は、各行の対を成す走査電極から維持電極に流れる２つの維持放電電流の方向と同じである。さらに、図中に破線矢印で示すように、ある行の対を成す走査電極および維持電極と、その隣の行の対を成す走査電極および維持電極との間の静電容量を通じて流れる電流の方向、例えば、走査電極ＳＣＮi,aから維持電極ＳＵＳi-1,bに流れる電流の方向は、対を成す走査電極から維持電極に流れる２つの維持放電電流の方向と同じである。したがって、これらの静電容量を通じて流れる電流による電磁波ノイズが、全行にわたって、維持放電電流による電磁波ノイズと同位相で発生する。
【００１４】
以上の説明から、従来のＡＣ型プラズマ表示装置においては、走査電極と維持電極との間に流れる維持放電電流の方向と、走査電極と維持電極との間の静電容量を通じて流れる電流の方向とが全ての行で同じであるため、これらの電流により極めて強い電磁波ノイズが発生するという問題があった。
【００１５】
本発明はこのような問題を解決するためになされたもので、電磁波ノイズの発生が抑制されたＡＣ型プラズマ表示装置を提供することを目的とする。
【００１６】
【課題を解決するための手段】
本発明のＡＣ型プラズマ表示装置は、複数の放電セルがマトリクス状に配列され、一行に並んで配列された前記放電セル内に、維持放電を行わしめる走査電極と維持電極とからなる電極対が２つ配列されたパネルを有し、各行に配置された前記走査電極同士および前記維持電極同士が共にパネルの同じ側において接続され、各行の二本の走査電極および二本の維持電極のうち一本の走査電極および一本の維持電極は、共にパネルの同じ側から走査電極駆動回路および維持電極駆動回路にそれぞれ接続され、各行において、一方の前記電極対に流れる維持放電電流の方向と、他方の前記電極対に流れる維持放電電流の方向とは互いに逆方向になるように構成されたものである。この構成により、２つの電極対に流れる維持放電電流によってそれぞれ発生する電磁波ノイズを互いに逆位相とすることができる。
【００１７】
【発明の実施の形態】
本発明の実施の形態について図面を用いて説明する。
【００１８】
（実施の形態１）
本発明の第１の実施形態のＡＣ型プラズマ表示装置を図１に示す。図１に示すように、本実施形態のＡＣ型プラズマ表示装置は、パネル５とその駆動回路とから構成されており、パネル５は対を成す走査電極と維持電極との間に維持放電を行わしめるものである。パネル５では、各行には対を成す走査電極および維持電極からなる電極対が２つ設けられ、各行において、二本の走査電極同士および二本の維持電極同士が、共にパネルの一方の側においてそれぞれ電気的に接続されている。各行の二本の走査電極および二本の維持電極のうちの一本の走査電極および一本の維持電極は、共にパネルの他方の側から走査電極駆動回路２および維持電極駆動回路３にそれぞれ接続されている。このパネル５の各行における走査電極および維持電極の電極配列は、走査電極駆動回路２に端部が接続された走査電極、維持電極、維持電極駆動回路３に端部が接続された維持電極、走査電極の順になっている。また、各行において互いに接続された二本の走査電極によってＭ行の走査電極ＳＣＮ1〜ＳＣＮMが構成される。同様に、各行において互いに接続された二本の維持電極によってＭ行の維持電極ＳＵＳ1〜ＳＵＳMが構成される。Ｍ行の走査電極ＳＣＮ1〜ＳＣＮMおよび維持電極ＳＵＳ1〜ＳＵＳMと、これらに直交対向して設けられたＮ列のデータ電極Ｄ1〜ＤNとの交差部には放電セルＣ11〜ＣMNが構成される。すなわち、このパネル５は、一つの放電セル中に二対の走査電極および維持電極を有し、放電セルに関して、Ｍ行×Ｎ列のマトリクス構成を成したものである。
【００１９】
このＡＣ型プラズマ表示装置において、パネル５の駆動方法には、従来のパネルの駆動方法として図１４に示した動作駆動タイミングを一例として用いることができる。また、その動作は従来のものと同じであるので、説明を省略する。
【００２０】
次に、本発明の第１の実施形態のＡＣ型プラズマ表示装置の作用効果について説明する。
【００２１】
図１の一部として（ｉ−１）行目から（ｉ＋１）行目までの電極配列と走査電極駆動回路２および維持電極駆動回路３への接続状態を図２に示す。また、図１４中に示した時刻ｔ、すなわち維持期間の最初において、全ての維持電極ＳＵＳ1〜ＳＵＳMに維持電極駆動回路３から負の維持パルス電圧−Ｖｍ（Ｖ）を印加したときに流れる維持放電電流を図２に実線矢印で示す。図２から分かるように、各行において、対を成す走査電極から維持電極に流れる２つの維持放電電流、例えばｉ行目において、走査電極ＳＣＮi,aから維持電極ＳＵＳi,aに流れる維持放電電流と走査電極ＳＣＮi,bから維持電極ＳＵＳi,bに流れる維持放電電流とは、流れる方向が互いに反対の方向である。
【００２２】
また、走査電極ＳＣＮi,aから維持電極ＳＵＳi,aに流れる維持放電電流は、図中に一点鎖線矢印で示すように、維持電極ＳＵＳi,bを流れて維持電極駆動回路３に至る電流であり、走査電極ＳＣＮi,bから維持電極ＳＵＳi,bに流れる維持放電電流は、図中に一点鎖線矢印で示すように、走査電極駆動回路２から走査電極ＳＣＮi,aを流れてくる電流である。これら一点鎖線矢印で示した維持電極ＳＵＳi,bおよび走査電極ＳＣＮi,aにそれぞれ流れる電流の方向は互いに逆方向となる。
【００２３】
したがって、全ての各行において対を成す走査電極から維持電極に流れる２つの維持放電電流によりそれぞれ発生する電磁波ノイズは互いに逆位相となり、この電磁波ノイズを全て打ち消すことができるので、パネルからの電磁波ノイズの発生を抑制することができる。また、各行において、一方の対を成す走査電極および維持電極と他方の対を成す走査電極および維持電極との間の静電容量を通じて流れる電流は、例えば、同電圧が印加される維持電極ＳＵＳi,bと維持電極ＳＵＳi,aとの間に流れる電流であるので、常に零とすることができる。さらに、ある行の対を成す走査電極および維持電極と、その隣の行の対を成す走査電極および維持電極との間の静電容量を通じて流れる電流は、例えば、同電圧が印加される走査電極ＳＣＮi,aと走査電極ＳＣＮi-1,bとの間に流れる電流であるので、常に零とすることができる。ここで、一般にＡＣ型プラズマ表示装置から発生する電磁波ノイズは、前述の維持パルス電圧以外によるものもあるが、これらは極めて僅かなものであり、実用上問題とならない。
【００２４】
以上の説明から、本発明の第１の実施形態のＡＣ型プラズマ表示装置においては、電磁波ノイズの発生を極めて少なくすることができるものである。
【００２５】
（実施の形態２）
本発明の第２の実施形態のＡＣ型プラズマ表示装置を図３に示す。図３に示すように、本実施形態のＡＣ型プラズマ表示装置はパネル６とその駆動回路とから構成されており、パネル６は対を成す走査電極と維持電極との間に維持放電を行わしめるものである。パネル６では、各行には対を成す走査電極および維持電極からなる電極対が２つ設けられ、各行において、二本の走査電極同士および二本の維持電極同士が、共にパネルの一方の側においてそれぞれ電気的に接続されている。各行の二本の走査電極および二本の維持電極のうちの一本の走査電極および一本の維持電極は、共にパネルの他方の側から走査電極駆動回路２および維持電極駆動回路３にそれぞれ接続されている。このパネル６の各行における走査電極および維持電極の電極配列は、奇数行では、走査電極駆動回路２に端部が接続された走査電極、維持電極、維持電極駆動回路３に端部が接続された維持電極、走査電極の順になっており、偶数行では、維持電極駆動回路３に端部が接続された維持電極、走査電極、走査電極駆動回路２に端部が接続された走査電極、維持電極の順になっている。また、各行において互いに接続された二本の走査電極によってＭ行の走査電極ＳＣＮ1〜ＳＣＮMが構成される。同様に、各行において互いに接続された二本の維持電極によってＭ行の維持電極ＳＵＳ1〜ＳＵＳMが構成される。Ｍ行の走査電極ＳＣＮ1〜ＳＣＮMおよび維持電極ＳＵＳ1〜ＳＵＳMと、これらに直交対向して設けられたＮ列のデータ電極Ｄ1〜ＤNとの交差部には放電セルＣ11〜ＣMNが構成される。すなわち、このパネル６は、一つの放電セル中に二対の走査電極および維持電極を有し、放電セルに関して、Ｍ行×Ｎ列のマトリクス構成を成したものである。
【００２６】
このＡＣ型プラズマ表示装置において、パネル６の駆動方法には、従来のパネルの駆動方法として図１４に示した動作駆動タイミングを一例として用いることができる。また、その動作は従来のものと同じであるので、説明を省略する。
【００２７】
次に、本発明の第２の実施形態のＡＣ型プラズマ表示装置の作用効果について説明する。
【００２８】
図３の一部として（ｉ−１）行目から（ｉ＋１）行目までの電極配列と走査電極駆動回路２および維持電極駆動回路３への接続状態を図４に示す。また、図１４中に示した時刻ｔ、すなわち維持期間の最初において、全ての維持電極ＳＵＳ1〜ＳＵＳMに維持電極駆動回路３から負の維持パルス電圧−Ｖｍ（Ｖ）を印加したときに流れる維持放電電流を図４に実線矢印で示す。図４から分かるように、各行において、対を成す走査電極から維持電極に流れる２つの維持放電電流、例えばｉ行目において、走査電極ＳＣＮi,aから維持電極ＳＵＳi,aに流れる維持放電電流と、走査電極ＳＣＮi,bから維持電極ＳＵＳi,bに流れる維持放電電流とは、流れる方向が互いに反対の方向である。
【００２９】
また、走査電極ＳＣＮi,aから維持電極ＳＵＳi,aに流れる維持放電電流は、図中に一点鎖線矢印で示すように、走査電極駆動回路２から走査電極ＳＣＮi,bを流れてくる電流であり、走査電極ＳＣＮi,bから維持電極ＳＵＳi,bに流れる維持放電電流は、図中に一点鎖線矢印で示すように、維持電極ＳＵＳi,aを流れて維持電極駆動回路３に至る電流である。これら一点鎖線矢印で示した走査電極ＳＣＮi,bおよび維持電極ＳＵＳi,aにそれぞれ流れる電流の方向は互いに逆方向となる。
【００３０】
したがって、全ての各行において対を成す走査電極から維持電極に流れる２つの維持放電電流によりそれぞれ発生する電磁波ノイズは互いに逆位相となり、この電磁波ノイズを全て打ち消すことができるので、パネルからの電磁波ノイズの発生を抑制することができる。
【００３１】
また、各行において、一方の対を成す走査電極および維持電極と他方の対を成す走査電極および維持電極との間の静電容量を通じて流れる電流は、例えば、同電圧が印加される走査電極ＳＣＮi,bと走査電極ＳＣＮi,aとの間に流れる電流であるので、常に零とすることができる。さらに、図４中に破線矢印で示すように、ある行の二対の走査電極および維持電極と、その隣の行の二対の走査電極および維持電極との間の静電容量を通じて流れる電流、例えば、走査電極ＳＣＮi-1,bから維持電極ＳＵＳi,aに流れる電流と走査電極ＳＣＮi+1,aから維持電極ＳＵＳi,bに流れる電流とは、互いに反対の方向に流れる。したがって、この行間の静電容量を通じて流れる電流による電磁波ノイズは、ある行間とその隣の行間とで打ち消され電磁波ノイズがパネルから発生することを抑制できる。ここで、一般にＡＣ型プラズマ表示装置から発生する電磁波ノイズは、前述の維持パルス電圧以外によるものもあるが、これらは極めて僅かなものであり、実用上問題とならない。
【００３２】
以上の説明から、本発明の第２の実施形態のＡＣ型プラズマ表示装置においては、電磁波ノイズの発生を極めて少なくすることができるものである。
【００３３】
（実施の形態３）
本発明の第３の実施形態のＡＣ型プラズマ表示装置を図５に示す。図５に示すように、本実施形態のＡＣ型プラズマ表示装置はパネル７とその駆動回路とから構成されており、パネル７は対を成す走査電極と維持電極との間に維持放電を行わしめるものである。パネル７では、各行には対を成す走査電極および維持電極からなる電極対が２つ設けられ、各行において、二本の走査電極同士および二本の維持電極同士が、共にパネルの一方の側においてそれぞれ電気的に接続されている。各行の二本の走査電極および二本の維持電極のうちの一本の走査電極および一本の維持電極は、共にパネルの他方の側から走査電極駆動回路２および維持電極駆動回路３にそれぞれ接続されている。このパネル７の各行における走査電極および維持電極の電極配列は、走査電極駆動回路２に端部が接続された走査電極、維持電極、走査電極、維持電極駆動回路３に端部が接続された維持電極の順になっている。また、各行において互いに接続された二本の走査電極によってＭ行の走査電極ＳＣＮ1〜ＳＣＮMが構成される。同様に、各行において互いに接続された二本の維持電極によってＭ行の維持電極ＳＵＳ1〜ＳＵＳMが構成される。Ｍ行の走査電極ＳＣＮ1〜ＳＣＮMおよび維持電極ＳＵＳ1〜ＳＵＳMと、これらに直交対向して設けられたＮ列のデータ電極Ｄ1〜ＤNとの交差部には放電セルＣ11〜ＣMNが構成される。すなわち、このパネル７は、一つの放電セル中に二対の走査電極および維持電極を有し、放電セルに関して、Ｍ行×Ｎ列のマトリクス構成を成したものである。
【００３４】
このＡＣ型プラズマ表示装置において、パネル７の駆動方法には、従来のパネルの駆動方法として図１４に示した動作駆動タイミングを一例として用いることができる。また、その動作は従来のものと同じであるので、説明を省略する。
【００３５】
次に、本発明の第３の実施形態のＡＣ型プラズマ表示装置の作用効果について説明する。
【００３６】
図５の一部として（ｉ−１）行目から（ｉ＋１）行目までの電極配列と走査電極駆動回路２および維持電極駆動回路３への接続状態を図６に示す。また、図１４中に示した時刻ｔ、すなわち維持期間の最初において、全ての維持電極ＳＵＳ1〜ＳＵＳMに維持電極駆動回路３から負の維持パルス電圧−Ｖｍ（Ｖ）を印加したときに流れる維持放電電流を図６に実線矢印で示す。図６から分かるように、各行において、二対の走査電極から維持電極に流れる維持放電電流、例えばｉ行目において、走査電極ＳＣＮi,aから維持電極ＳＵＳi,aに流れる維持放電電流と走査電極ＳＣＮi,bから維持電極ＳＵＳi,bに流れる維持放電電流とは、流れる方向が互いに反対の方向である。
【００３７】
また、走査電極ＳＣＮi,aから維持電極ＳＵＳi,aに流れる維持放電電流は、図６中に一点鎖線矢印で示すように、維持電極ＳＵＳi,bを流れて維持電極駆動回路３に至る電流であり、走査電極ＳＣＮi,bから維持電極ＳＵＳi,bに流れる維持放電電流は、図６中に一点鎖線矢印で示すように、走査電極駆動回路２から走査電極ＳＣＮi,aを流れてくる電流である。これら一点鎖線矢印で示した維持電極ＳＵＳi,bおよび走査電極ＳＣＮi,aにそれぞれ流れる電流の方向は互いに逆方向となる。
【００３８】
したがって、全ての各行において対を成す走査電極から維持電極に流れる２つの維持放電電流によりそれぞれ発生する電磁波ノイズは互いに逆位相となり、この電磁波ノイズを全て打ち消すことができるので、パネルからの電磁波ノイズの発生を抑制することができる。
【００３９】
また、図６中に点線矢印で示すように、各行において、一方の対を成す走査電極および維持電極と他方の対を成す走査電極および維持電極との間の静電容量を通じて流れる電流、例えば、走査電極ＳＣＮi,bと維持電極ＳＵＳi,aにそれぞれ流れる電流は、互いに逆方向に流れる。さらに、図６中に破線矢印で示すように、ある行の二対の走査電極および維持電極と、その隣の行の二対の走査電極および維持電極との間の静電容量を通じて流れる電流、例えば、走査電極ＳＣＮi,aから維持電極ＳＵＳi-1,bに流れる電流は、走査電極ＳＣＮi,aおよび維持電極ＳＵＳi-1,bのそれぞれにおいて互いに逆方向に流れる。したがって、これらの静電容量を通じて流れる電流による電磁波ノイズは、自らの逆位相の電磁波ノイズとして打ち消される。ここで、一般にＡＣ型プラズマ表示装置から発生する電磁波ノイズは、前述の維持パルス電圧以外によるものもあるが、これらは極めて僅かなものであり、実用上問題とならない。
【００４０】
以上の説明から、本発明の第３の実施形態のＡＣ型プラズマ表示装置においては、電磁波ノイズの発生を極めて少なくすることができるものである。
【００４１】
（実施の形態４）
本発明の第４の実施形態のＡＣ型プラズマ表示装置を図７に示す。図７に示すように、本実施形態のＡＣ型プラズマ表示装置はパネル８とその駆動回路とから構成されており、パネル８は対を成す走査電極と維持電極との間に維持放電を行わしめるものである。パネル８では、各行には対を成す走査電極および維持電極からなる電極対が２つ設けられ、各行において、二本の走査電極同士および二本の維持電極同士が、共にパネルの一方の側においてそれぞれ電気的に接続されている。各行の二本の走査電極および二本の維持電極のうちの一本の走査電極および一本の維持電極は、共にパネルの他方の側から走査電極駆動回路２および維持電極駆動回路３にそれぞれ接続されている。このパネル８の各行における走査電極および維持電極の電極配列は、奇数行では、走査電極駆動回路２に端部が接続された走査電極、維持電極、走査電極、維持電極駆動回路３に端部が接続された維持電極の順になっており、偶数行では、維持電極駆動回路３に端部が接続された維持電極、走査電極、維持電極、走査電極駆動回路２に端部が接続された走査電極の順になっている。また、各行において互いに接続された二本の走査電極によってＭ行の走査電極ＳＣＮ1〜ＳＣＮMが構成される。同様に、各行において互いに接続された二本の維持電極によってＭ行の維持電極ＳＵＳ1〜ＳＵＳMが構成される。Ｍ行の走査電極ＳＣＮ1〜ＳＣＮMおよび維持電極ＳＵＳ1〜ＳＵＳMと、これらに直交対向して設けられたＮ列のデータ電極Ｄ1〜ＤNとの交差部には放電セルＣ11〜ＣMNが構成される。すなわち、このパネル８は、一つの放電セル中に二対の走査電極および維持電極を有し、放電セルに関して、Ｍ行×Ｎ列のマトリクス構成を成したものである。
【００４２】
このＡＣ型プラズマ表示装置において、パネル８の駆動方法には、従来のパネルの駆動方法として図１４に示した動作駆動タイミングを一例として用いることができる。また、その動作は従来のものと同じであるので、説明を省略する。
【００４３】
次に、本発明の第４の実施形態のＡＣ型プラズマ表示装置の作用効果について説明する。
【００４４】
図７の一部として（ｉ−１）行目から（ｉ＋１）行目までの電極配列と走査電極駆動回路２および維持電極駆動回路３への接続状態を図８に示す。また、図１４中に示した時刻ｔ、すなわち維持期間の最初において、全ての維持電極ＳＵＳ1〜ＳＵＳMに維持電極駆動回路３から負の維持パルス電圧−Ｖｍ（Ｖ）を印加したときに流れる維持放電電流を図８に実線矢印で示す。図８から分かるように、各行において、対を成す走査電極から維持電極に流れる２つの維持放電電流、例えばｉ行目において、走査電極ＳＣＮi,aから維持電極ＳＵＳi,aに流れる維持放電電流と走査電極ＳＣＮi,bから維持電極ＳＵＳi,bに流れる維持放電電流とは、流れる方向が互いに反対の方向である。
【００４５】
また、走査電極ＳＣＮi,aから維持電極ＳＵＳi,aに流れる維持放電電流は、図８中に一点鎖線矢印で示すように、走査電極駆動回路２から走査電極ＳＣＮi,bを流れてくる電流であり、走査電極ＳＣＮi,bから維持電極ＳＵＳi,bに流れる維持放電電流は、図８中に一点鎖線矢印で示すように、維持電極ＳＵＳi,aを流れて維持電極駆動回路３に至る電流である。これら一点鎖線矢印で示した走査電極ＳＣＮi,bおよび維持電極ＳＵＳi,aにそれぞれ流れる電流の方向は互いに逆方向となる。
【００４６】
したがって、全ての各行において対を成す走査電極から維持電極に流れる２つの維持放電電流によりそれぞれ発生する電磁波ノイズは互いに逆位相となり、この電磁波ノイズを全て打ち消すことができるので、パネルからの電磁波ノイズの発生を抑制することができる。
【００４７】
また、図８中に点線矢印で示すように、各行において一方の対を成す走査電極および維持電極と、他方の対を成す走査電極および維持電極との間の静電容量を通じて流れる電流、例えば、走査電極ＳＣＮi,aから維持電極ＳＵＳi,bに流れる電流は、走査電極ＳＣＮi,aおよび維持電極ＳＵＳi,bのそれぞれにおいて互いに逆方向に流れる。さらに、ある行の二対の走査電極および維持電極とその隣の行の二対の走査電極および維持電極との間の静電容量を通じて流れる電流は、例えば、同電圧が印加された維持電極ＳＵＳi,aと維持電極ＳＵＳi-1,bに流れる電流であるので、常に零とすることができる。ここで、一般にＡＣ型プラズマ表示装置から発生する電磁波ノイズは、前述の維持パルス電圧以外によるものもあるが、これらは極めて僅かなものであり、実用上問題とならない。
【００４８】
以上の説明から、本発明の第４の実施形態のＡＣ型プラズマ表示装置においては、電磁波ノイズの発生を極めて少なくすることができるものである。
【００４９】
（実施の形態５）
本発明の第５の実施形態としてのＡＣ型プラズマ表示装置を図９に示す。図９に示すように、本実施形態のＡＣ型プラズマ表示装置はパネル９とその駆動回路とから構成されており、パネル９は対を成す走査電極と維持電極との間に維持放電を行わしめるものである。パネル９では、各行には対を成す走査電極および維持電極からなる電極対が２つ設けられ、各行において、二本の走査電極同士および二本の維持電極同士が、共にパネルの一方の側においてそれぞれ電気的に接続されている。各行の二本の走査電極および二本の維持電極のうちの一本の走査電極および一本の維持電極は、共にパネルの他方の側から走査電極駆動回路２および維持電極駆動回路３にそれぞれ接続されている。このパネル９の各行における走査電極および維持電極の電極配列は、走査電極駆動回路２に端部が接続された走査電極、維持電極駆動回路３に端部が接続された維持電極、維持電極、走査電極の順になっている。また、各行において互いに接続された二本の走査電極によってＭ行の走査電極ＳＣＮ1〜ＳＣＮMが構成される。同様に、各行において互いに接続された二本の維持電極によってＭ行の維持電極ＳＵＳ1〜ＳＵＳMが構成される。Ｍ行の走査電極ＳＣＮ1〜ＳＣＮMおよび維持電極ＳＵＳ1〜ＳＵＳMと、これらに直交対向して設けられたＮ列のデータ電極Ｄ1〜ＤNとの交差部には放電セルＣ11〜ＣMNが構成される。すなわち、このパネル９は、一つの放電セル中に二対の走査電極および維持電極を有し、放電セルに関して、Ｍ行×Ｎ列のマトリクス構成を成したものである。
【００５０】
このＡＣ型プラズマ表示装置において、パネル９の駆動方法には、従来のパネルの駆動方法として図１４に示した動作駆動タイミングを一例として用いることができる。また、その動作は従来のものと同じであるので、説明を省略する。
【００５１】
次に、本発明の第５の実施形態のＡＣ型プラズマ表示装置の作用効果について説明する。
【００５２】
図９の一部として（ｉ−１）行目から（ｉ＋１）行目までの電極配列と走査電極駆動回路２および維持電極駆動回路３への接続状態を図１０に示す。また、図１４中に示した時刻ｔ、すなわち維持期間の最初において、全ての維持電極ＳＵＳ1〜ＳＵＳMに維持電極駆動回路３から負の維持パルス電圧−Ｖｍ（Ｖ）を印加したときに流れる維持放電電流を図１０に実線矢印で示す。図１０から分かるように、各行において、対を成す走査電極から維持電極に流れる２つの維持放電電流、例えばｉ行目において、走査電極ＳＣＮi,aから維持電極ＳＵＳi,aに流れる維持放電電流および走査電極ＳＣＮi,bから維持電極ＳＵＳi,bに流れる維持放電電流は、それぞれの維持放電電流において互いに反対の方向に流れている。また、走査電極ＳＣＮi,bと維持電極ＳＵＳi,bに流れる維持放電電流は、図１０中に一点鎖線矢印で示すように、走査電極駆動回路２から走査電極ＳＣＮi,aを流れてくる電流であり、同時に維持電極ＳＵＳi,aを流れて維持電極駆動回路３に至る電流である。これら一点鎖線矢印で示した走査電極ＳＣＮi,aおよび維持電極ＳＵＳi,aにそれぞれ流れる電流の方向は互いに逆方向となる。
【００５３】
したがって、全ての各行において対を成す走査電極から維持電極に流れる２つの維持放電電流により発生する電磁波ノイズは、それぞれの維持放電電流により逆位相となり互いに打ち消されるので、パネルからの電磁波ノイズの発生を抑制することができる。また、各行において、一方の対を成す走査電極および維持電極と他方の対を成す走査電極および維持電極との間の静電容量を通じて流れる電流は、例えば、同電圧が印加される維持電極ＳＵＳi,bと維持電極ＳＵＳi,aとの間に流れる電流であるので、常に零とすることができ、電磁波ノイズの発生を抑制することができる。さらに、ある行の二対の走査電極および維持電極と、その隣の行の二対の走査電極および維持電極との間の静電容量を通じて流れる電流は、例えば、同電圧が印加される走査電極ＳＣＮi,aと走査電極ＳＣＮi-1,bに流れる電流であるので、常に零とすることができ、電磁波ノイズの発生を抑制することができる。ここで、一般にＡＣ型プラズマ表示装置から発生する電磁波ノイズは、前述の維持パルス電圧以外によるものもあるが、これらは極めて僅かなものであり、実用上問題とならない。
【００５４】
以上の説明から、本発明の第５の実施形態のＡＣ型プラズマ表示装置においては、電磁波ノイズの発生を極めて少なくすることができるものである。
【００５５】
さらに同様にして、本発明の他の実施形態として複数の二対の対を成す走査電極および維持電極と、各行の二本の走査電極および二本の維持電極の電気的な接続の仕方と走査電極駆動回路および維持電極駆動回路への接続の仕方により種々の実施形態が考えられる。例えば、本発明の第１の実施形態の変形例について次に説明する。
【００５６】
（実施の形態６）
本発明の第６の実施形態のＡＣ型プラズマ表示装置を図１１に示す。図１１に示すように、本実施形態のＡＣ型プラズマ表示装置はパネル１０とその駆動回路とから構成されており、パネル１０は対を成す走査電極と維持電極との間に維持放電を行わしめるものである。パネル１０では、走査電極ＳＣＮ1〜ＳＣＮMおよび維持電極ＳＵＳ1〜ＳＵＳMの配列は第１の実施形態のパネル５と同じになっている。第１の実施形態のＡＣ型プラズマ表示装置では、各行において二本の走査電極同士および二本の維持電極同士がパネルの右側でそれぞれ電気的に接続され、パネルの左側で走査電極および維持電極がそれぞれ走査電極駆動回路および維持電極駆動回路に接続されているのに対し、第６の実施形態のＡＣ型プラズマ表示装置では、次のような構成になっている。すなわち、奇数行では二本の走査電極同士および二本の維持電極同士が共にパネルの一方の側（図１１では右側）においてそれぞれ電気的に接続され、この走査電極および維持電極はパネルの他方の側（図１１では左側）からそれぞれ走査電極駆動回路２ａおよび維持電極駆動回路３ａに接続されている。また、偶数行では二本の走査電極同士および二本の維持電極同士が共にパネルの他方の側（図１１では左側）において電気的にそれぞれ接続され、この走査電極および維持電極はパネルの一方の側（図１１では右側）からそれぞれ走査電極駆動回路２ｂおよび維持電極駆動回路３ｂに接続されている。
【００５７】
このＡＣ型プラズマ表示装置において、パネル１０の駆動方法には、従来のパネルの駆動方法として図１４に示した動作駆動タイミングを一例として用いることができ、走査電極駆動回路２ａと走査電極駆動回路２ｂとを同時駆動し、維持電極駆動回路３ａと維持電極駆動回路３ｂとを同時駆動とすることにより実現できる。また、その動作も同じであるので、説明を省略する。
【００５８】
次に、本発明の第６の実施形態のＡＣ型プラズマ表示装置の作用効果について説明する。
【００５９】
図１１の一部として（ｉ−１）行目から（ｉ＋１）行目までの電極配列と走査電極駆動回路２ａと走査電極駆動回路２ｂおよび維持電極駆動回路３ａと維持電極駆動回路３ｂへの接続状態を図１２に示す。また、図１４中に示した時刻ｔ、すなわち維持期間の最初において、全ての維持電極ＳＵＳ1〜ＳＵＳMに維持電極駆動回路３ａ，３ｂから負の維持パルス電圧−Ｖｍ（Ｖ）を印加したときに流れる維持放電電流を図１２に実線矢印で示す。図１２から分かるように、各行において、対を成す走査電極から維持電極に流れる２つの維持放電電流、例えばｉ行目において、走査電極ＳＣＮi,aから維持電極ＳＵＳi,aに流れる維持放電電流と走査電極ＳＣＮi,bから維持電極ＳＵＳi,bに流れる維持放電電流とは、流れる方向が互いに反対の方向である。
【００６０】
また、走査電極ＳＣＮi,aから維持電極ＳＵＳi,aに流れる維持放電電流は、図１２中に一点鎖線矢印で示すように、維持電極ＳＵＳi,bを流れて維持電極駆動回路３ｂに至る電流であり、走査電極ＳＣＮi,bから維持電極ＳＵＳi,bに流れる維持放電電流は、図１２中に一点鎖線矢印で示すように、走査電極駆動回路２ｂから走査電極ＳＣＮi,aを流れてくる電流である。これら一点鎖線矢印で示した維持電極ＳＵＳi,bおよび走査電極ＳＣＮi,aに流れる電流の方向は互いに逆方向になる。
【００６１】
したがって、全ての各行において対を成す走査電極から維持電極に流れる維持放電電流によりそれぞれ発生する電磁波ノイズは互いに逆位相となり、この電磁波ノイズを全て打ち消すことができるので、パネルからの電磁波ノイズの発生を抑制することができる。また、各行において、一方の対を成す走査電極および維持電極と他方の対を成す走査電極および維持電極との間の静電容量を通じて流れる電流は、例えば、同電圧が印加される維持電極ＳＵＳi,bと維持電極ＳＵＳi,aとの間に流れる電流であるので、常に零とすることができる。さらに、図１２中に破線矢印で示すように、ある行の二対の走査電極および維持電極とその隣の行の二対の走査電極および維持電極との間の静電容量を通じて流れる電流は、走査電極駆動回路２ａからのパルス電圧の印加と走査電極駆動回路２ｂからのパルス電圧の印加とが同時に行われなかったときに流れる電流である。もしこの電流が流れた場合であっても、例えば走査電極ＳＣＮi-1,bに流れる電流と走査電極ＳＣＮi,aに流れる電流は、互いに逆方向に流れる。したがって、これらの静電容量を通じて流れる電流による電磁波ノイズは、自らの逆位相の電磁波ノイズによって打ち消される。ここで、一般にＡＣ型プラズマ表示装置から発生する電磁波ノイズは、前述の維持パルス電圧以外によるものもあるが、これらは極めて僅かなものであり、実用上問題とならない。
【００６２】
以上の説明から、本発明の第６の実施形態のＡＣ型プラズマ表示装置においては、電磁波ノイズの発生を極めて少なくすることができる。
【００６３】
さらに同様にして、本発明の他の実施形態として複数の二対の対を成す走査電極および維持電極と、各二対の二本の走査電極および二本の維持電極の配線と走査電極駆動回路および維持電極駆動回路への接続の仕方により種々の実施形態が考えられる。また、維持放電を行わせるものであれば一例とした駆動方法以外の駆動方法を用いた場合にも本発明を実施することができる。
【００６４】
【発明の効果】
以上のように、本発明は、複数の放電セルがマトリクス状に配列され、一行に並んで配列された放電セル内に、維持放電を行わしめる走査電極と維持電極とからなる電極対が２つ配列されたパネルにおいて、一方の電極対に流れる維持放電電流の方向と、他方の電極対に流れる維持放電電流の方向とが互いに逆方向になるように構成することにより、パネルからの電磁波ノイズの発生が極めて少ないＡＣ型プラズマ表示装置を得ることができる。
【図面の簡単な説明】
【図１】本発明の第１の実施形態のＡＣ型プラズマ表示装置を示す図
【図２】図１のパネルの一部電極配列と走査電極駆動回路および維持電極駆動回路への接続状態を示す図
【図３】本発明の第２の実施形態のＡＣ型プラズマ表示装置を示す図
【図４】図３のパネルの一部電極配列と走査電極駆動回路および維持電極駆動回路への接続状態を示す図
【図５】本発明の第３の実施形態のＡＣ型プラズマ表示装置を示す図
【図６】図５のパネルの一部電極配列と走査電極駆動回路および維持電極駆動回路への接続状態を示す図
【図７】本発明の第４の実施形態のＡＣ型プラズマ表示装置を示す図
【図８】図７のパネルの一部電極配列と走査電極駆動回路および維持電極駆動回路への接続状態を示す図
【図９】本発明の第５の実施形態のＡＣ型プラズマ表示装置を示す図
【図１０】図９のパネルの一部電極配列と走査電極駆動回路および維持電極駆動回路への接続状態を示す図
【図１１】本発明の第６の実施形態のＡＣ型プラズマ表示装置を示す図
【図１２】図１１のパネルの一部電極配列と走査電極駆動回路および維持電極駆動回路への接続状態を示す図
【図１３】従来のＡＣ型プラズマ表示装置を示す図
【図１４】従来のパネルの動作駆動タイミング図
【図１５】従来のパネルの一部電極配列と走査電極駆動回路および維持電極駆動回路への接続状態を示す図
【符号の説明】
２、２ａ、２ｂ  走査電極駆動回路
３、３ａ、３ｂ  維持電極駆動回路
４  データ電極駆動回路
５、６、７、８、９、１０  パネル
【図１】
0003711784.tif 000002
【図２】
0003711784.tif 000003
【図３】
0003711784.tif 000004
【図４】
0003711784.tif 000005
【図５】
0003711784.tif 000006
【図６】
0003711784.tif 000007
【図７】
0003711784.tif 000008
【図８】
0003711784.tif 000009
【図９】
0003711784.tif 000010
【図１０】
0003711784.tif 000011
【図１１】
0003711784.tif 000012
【図１２】
0003711784.tif 000013
【図１３】
0003711784.tif 000014
【図１４】
0003711784.tif 000015
【図１５】
0003711784.tif 000016